(57)【要約】      （修正有）【課題】出力に瞬断を伴うことなく多入力電源の切替えを行う入力電源切替装置を提供する。【解決手段】第１入力電源Ａと第２入力電源Ｂが入力され、前記第１、第２入力電源の何れかが出力されるリレー６と、前記リレーの第１入力端子７と共通出力端子９との間に直列接続された第１トランジスタ２及び第１ダイオード４と、前記リレーの第２入力端子８と前記共通出力端子９との間に直列接続された第２トランジスタ３及び第２ダイオード５と、前記共通出力端子に設けられ前記第１入力端子及び前記第２入力端子の何れかを前記共通出力端子に接続するための切替片１０と、を備え、前記切替片を前記第１入力端子に接続した時、前記リレーと第１トランジスタが同時にオンとなると共に、前記リレーが作動した後に前記第１トランジスタをオフする。【選択図】図１
2017054672.tif 000002
【特許請求の範囲】
【請求項１】
第１入力電源(A)と第２入力電源(B)が入力され、前記第１、第２入力電源(A,B)の何れかが出力されるリレー(6)と、前記リレー(6)の第１入力端子(7)と共通出力端子(9)との間に直列接続された第１トランジスタ(2)及び第１ダイオード(4)と、前記リレー(6)の第２入力端子(8)と前記共通出力端子(9)との間に直列接続された第２トランジスタ(3)及び第２ダイオード(5)と、前記共通出力端子(9)に設けられ前記第１入力端子(7)及び前記第２入力端子(8)の何れかを前記共通出力端子(9)に接続するための切替片(10)と、を備え、
前記切替片(10)を前記第１入力端子(7)に接続した時、前記リレー(6)と第１トランジスタ(2)が同時にオンとなると共に、前記リレー(6)が作動した後に前記第１トランジスタ(2)をオフするように構成したことを特徴とする多入力電源の入力電源切替装置。
【請求項２】
第１入力電源(A)と第２入力電源(B)が入力され、前記第１、第２入力電源(A,B)の何れかが出力されるリレー(6)と、前記リレー(6)の第１入力端子(7)と共通出力端子(9)との間に直列接続された第１トランジスタ(2)及び第１ダイオード(4)と、前記リレー(6)の第２入力端子(8)と前記共通出力端子(9)との間に直列接続された第２トランジスタ(3)及び第２ダイオード(5)と、前記共通出力端子(9)に設けられ前記第１入力端子(7)及び前記第２入力端子(8)の何れかを前記共通出力端子(9)に接続するための切替片(10)と、を用い、
前記切替片(10)を前記第１入力端子(7)に接続した時、前記リレー(6)と第１トランジスタ(2)が同時にオンとなると共に、前記リレー(6)が作動した後に前記第１トランジスタ(2)をオフすることを特徴とする多入力電源の入力電源切替方法。
【発明の詳細な説明】
【技術分野】
【０００１】
本発明は、多入力電源の入力電源切替装置及び方法に関し、特に、リレーとトランジスタを用いることにより、出力に瞬断を伴うことなく多入力電源の切替えを行うための新規な改良に関する。
【背景技術】
【０００２】
従来、用いられていたこの種の多入力電源の入力電源切替装置としては、例えば、特許文献１に開示されているトランジスタのみによる多入力電源の切替装置を挙げることができる。
【先行技術文献】
【特許文献】
【０００３】
【特許文献１】特開２０１０−５１９８８５号公報
【発明の概要】
【発明が解決しようとする課題】
【０００４】
従来の多入力電源の入力電源切替装置は、以上のように構成されていたため、次のような課題が存在していた。
すなわち、多入力電源の切替手段としては、トランジスタのみが用いられているため、多年にわたって切替動作を繰り返していると、トランジスタの損傷が問題となると共に、装置の交換に多大のコストが発生していた。
また、他の手段としては、図示していないが、リレーを用いた切替装置モータ多用されており、リレーの場合には、切替片自体の動作がトランジスタを用いた電子スイッチと比較するとタイムラグが大きく、瞬断を避けることは困難であった。
【０００５】
本発明は、以上のような課題を解決するためになされたもので、特に、リレーとトランジスタを用いることにより、出力に瞬断を伴うことなく多入力電源の切替えを行うようにした多入力電源の入力電源切替装置及び方法を提供することを目的とする。
【課題を解決するための手段】
【０００６】
本発明による多入力電源の入力電源切替装置は、第１入力電源と第２入力電源が入力され、前記第１、第２入力電源の何れかが出力されるリレーと、前記リレーの第１入力端子と共通出力端子との間に直列接続された第１トランジスタ及び第１ダイオードと、前記リレーの第２入力端子と前記共通出力端子との間に直列接続された第２トランジスタ及び第２ダイオードと、前記共通出力端子に設けられ前記第１入力端子及び前記第２入力端子の何れかを前記共通出力端子に接続するための切替片と、を備え、前記切替片を前記第１入力端子に接続した時、前記リレーと第１トランジスタが同時にオンとなると共に、前記リレーが作動した後に前記第１トランジスタをオフするようにした構成であり、また、本発明による多入力電源の入力電源切替方法は、第１入力電源と第２入力電源が入力され、前記第１、第２入力電源の何れかが出力されるリレーと、前記リレーの第１入力端子と共通出力端子との間に直列接続された第１トランジスタ及び第１ダイオードと、前記リレーの第２入力端子と前記共通出力端子との間に直列接続された第２トランジスタ及び第２ダイオードと、前記共通出力端子に設けられ前記第１入力端子及び前記第２入力端子の何れかを前記共通出力端子に接続するための切替片と、を用い、前記切替片を前記第１入力端子に接続した時、前記リレーと第１トランジスタが同時にオンとなると共に、前記リレーが作動した後に前記第１トランジスタをオフする方法である。
【発明の効果】
【０００７】
本発明による多入力電源の入力電源切替装置及び方法は、以上のように構成されているため、次のような効果を得ることができる。
すなわち、第１入力電源と第２入力電源が入力され、前記第１、第２入力電源の何れかが出力されるリレーと、前記リレーの第１入力端子と共通出力端子との間に直列接続された第１トランジスタ及び第１ダイオードと、前記リレーの第２入力端子と前記共通出力端子との間に直列接続された第２トランジスタ及び第２ダイオードと、前記共通出力端子に設けられ前記第１入力端子及び前記第２入力端子の何れかを前記共通出力端子に接続するための切替片と、を備え、前記切替片を前記第１入力端子に接続した時、前記リレーと第１トランジスタが同時にオンとなると共に、前記リレーが作動した後に前記第１トランジスタをオフするように構成したことにより、入力電源切替時におけるトランジスタの損失が少なく、瞬断のない出力を得ることができる。
【図面の簡単な説明】
【０００８】
【図１】本発明による多入力電源の入力電源切替装置を示す回路図である。
【図２】図１の動作を示すための動作説明図である。
【発明を実施するための形態】
【０００９】
本発明による多入力電源の入力電源切替装置及び方法は、リレーとトランジスタを用いることにより、出力に瞬断を伴うことなく多入力電源の切替えを行うことである。
【実施例】
【００１０】
以下、図面と共に本発明による多入力電源の入力電源切替装置及び方法の好適な実施の形態について説明する。
図１において、符号１で示されるものは、周知のスイッチング素子からなる第１、第２トランジスタ２,３、第１、第２ダイオード４,５及びリレー６とから構成される入力電源切替装置であり、前記リレー６は、第１、第２入力端子７,８、共通出力端子９及び前記共通出力端子９に設けられた切替片１０によって構成されている。
【００１１】
前記リレー６の前記第１入力端子７には、前記第１トランジスタ２に接続された第１入力ライン１１が接続され、この第１入力ライン１１には第１入力電源Ａが入力されるように構成されている。
前記リレー６の前記第２入力端子８には、前記第２トランジスタ３に接続された第２入力ライン１２が接続され、この第２入力ライン１２には、前記第１入力電源Ａとは異なる電圧の第２入力電源Ｂが入力されるように構成されている。
【００１２】
前記リレー６の前記共通出力端子９には、前記第１入力電源Ａ又は第２入力電源Ｂが出力１３として出力されるための出力ライン１４が接続されている。
前記出力ライン１４に形成された接続点１５には、前記第１トランジスタ２に直列接続された第１ダイオード４の出力側４ａが接続されていると共に、前記第２トランジスタ３に直列接続された第２ダイオード５の出力側５ａが前記接続点１５に接続されている。
前記リレー６に対して、前記第１トランジスタ２及び第２トランジスタ３は、互いに並列関係となるように接続されている。
【００１３】
次に、前述の図１の入力電源切替装置１において、第２入力電源Ｂを第１入力電源Ａに切替えて出力１３を出力する場合を図２に示している。
図２において、最初は、前記リレー６の切替片１０が点線で示されるように第２入力端子８に切替えられているため、入力されている第２入力電源Ｂに対して、わずかに電圧降下した出力１３が出力されているが、前記第２入力電源Ｂから第１入力電源Ａに切替える切替開始Ｋにおいて、前記リレー６の切替片１０を実線で示すように第１入力端子７に切替えると、前記出力１３は直ちに第１入力電源Ａに切替わるが、リレー６の切替えと連動して第１トランジスタ２も同時にオンとなるため、前記出力１３は第１トランジスタ２の立上がりの遅れもＤ１によって電圧降下し、その後若干上昇するが、リレー６の遅れＤ２の間は第１トランジスタ２及び第１ダイオード４による電圧降下Ｖ１で経過し、このリレー６の遅れＤ２が経過すると、出力１３は急上昇し、リレー６のみによる電圧降下Ｖ２のみとなり、入力電源ＢからＡに切替った第１入力電源Ａの出力１３が出力される。
【００１４】
従って、前記第１入力電源Ａと第２入力電源Ｂを前記入力電源切替装置１で切替えて出力１３として出力する場合、互いに並列接続されたリレー６と第１トランジスタ２を同時オン、又は、リレー６と第２トランジスタ３を同時オンし、リレー６が完全にオン作動した後に（図２のリレー６の遅れＤ２が経過した後）、トランジスタ２又は３をオフとしているため、前記出力１３は、従来、切替え時に発生していた出力１３の瞬断を防止することができる。
【００１５】
尚、本発明による多入力電源の入力電源切替装置及び方法の要旨とするところは、以下の通りである。
すなわち、第１入力電源Ａと第２入力電源Ｂが入力され、前記第１、第２入力電源Ａ,Ｂの何れかが出力されるリレー６と、前記リレー６の第１入力端子７と共通出力端子９との間に直列接続された第１トランジスタ２及び第１ダイオード４と、前記リレー６の第２入力端子８と前記共通出力端子９との間に直列接続された第２トランジスタ３及び第２ダイオード５と、前記共通出力端子９に設けられ前記第１入力端子７及び前記第２入力端子８の何れかを前記共通出力端子９に接続するための切替片１０と、を備え、前記切替片１０を前記第１入力端子７に接続した時、前記リレー６と第１トランジスタ２が同時にオンとなると共に、前記リレー６が作動した後に前記第１トランジスタ２をオフするようにした構成と方法である。
【産業上の利用可能性】
【００１６】
本発明による多入力電源の入力電源切替装置及び方法は、入力電源切替装置のリレーとトランジスタを並列接続し、切替時にリレーとトランジスタを同時にオンさせ、リレーが作動した後にトランジスタをオフすることにより瞬断を防止し、安定した電源の供給ができる。
【符号の説明】
【００１７】
１    入力電源切替装置
２    第１トランジスタ
３    第２トランジスタ
４    第１ダイオード
５    第２ダイオード
６    リレー
７    第１入力端子
８    第２入力端子
９    共通出力端子
１０    切替弁
１１    第１入力ライン
１２    第２入力ライン
１３    出力
１４    出力ライン
１５    接続点
【図１】
2017054672.tif 000003
【図２】
2017054672.tif 000004